(57)【特許請求の範囲】
【請求項１】
本体部シートをそれぞれ巻回した複数の巻取りシャフトを開口部の開口幅方向に連設し、かつ当該各本体部シートの同期繰り出し作動時に、隣接するシート側縁間の空隙域を塞ぎシートで塞ぎながら開口部を閉鎖するように構成した防火シートシャッターにおいて、上記シート側縁に位置する各本体部シートのシート面と、これらに面接する塞ぎシートのシート面の対向間に、着離自在な面ファスナを上下方向に貼着すると共に、複数の孔を所定面域に穿設してなる固定プレートを対向する一方のシート面の上下方向に所定間隔を存して装着し、他方のシート面には、形状記憶合金を主部材とする固定ピンを上記各固定プレートに対応する位置に装着して、前記各本体部シートの同期繰り出し作動で開口部を閉鎖する際に、面着するシート面間で固定ピンを固定プレートの複数の孔の何れかに嵌入させ、かつ開口部近傍の周辺温度が所定以上の高温状態に達した際には、形状記憶合金の形状変形で固定ピンを固定プレートの孔内に係止させるように構成したことを特徴とする防火シートシャッターの塞ぎシート構造。
【請求項２】
上記隣接する各本体部シートの表裏の両面において、一対の塞ぎシートがそれぞれ対向状に面着することを特徴とする請求項１記載の防火シートシャッターの塞ぎシート構造。
【請求項３】
上記隣接する各本体部シートの表裏何れか一方の面側において、塞ぎシートが面着することを特徴とする請求項１記載の防火シートシャッターの塞ぎシート構造。
【請求項４】
上記隣接する各本体部シートの表裏の両面において面着する一対の塞ぎシートには、その幅方向の中央に位置して前記固定プレートと固定ピンがそれぞれ装着されていることを特徴とする請求項２に記載の防火シートシャッターの塞ぎシート構造。
【請求項５】
隣接する上記本体部シートの幅方向の側縁部には、形状記憶合金製のプレートを装着した遮炎シートが併設されており、開口部近傍の周辺温度が所定以上の高温状態に達した際に、形状変形によって遮炎シートが起立するように構成されていることを特徴とする請求項１ないし４に記載の防火シートシャッターの塞ぎシート構造。
【請求項６】
隣接する上記本体部シートの幅方向の側縁部には、形状記憶合金製のプレートを装着した遮炎シートが併設されており、開口部近傍の周辺温度が所定以上の高温状態に達した際に、形状変形によって遮炎シートが塞ぎシート側に折り返されるように構成されていることを特徴とする請求項１ないし４に記載の防火シートシャッターの塞ぎシート構造。
【請求項７】
上記塞ぎシートは、本体部シートを巻回した巻取りシャフトの繰り出し作動に同期する副巻取りシャフトに巻回され、かつ上記本体部シートの開口部への繰り出し位置上方には、繰り出される本体部シートと塞ぎシートの送り方向を規制する一対の送りローラを、そのローラ送り軌跡が側面視でＳ字状をなす上下の離間位置に並設し、面ファスナの貼着作動と固定プレートに対する固定ピンの嵌入作動とを、上位の送りローラから下位の送りローラに至る間で行うようにしたことを特徴とする請求項１ないし６に記載の防火シートシャッターの塞ぎシート構造。
【発明の詳細な説明】
【０００１】
【発明の属する技術分野】
本発明は、防火シートシャッターに係り、特に本体部シートをそれぞれ巻回した複数の巻取りシャフトを開口部の開口幅方向に連設し、これらの本体部シートを同期させて繰り出す際に、そのシート側縁間に形成される空隙域を塞ぎシートで塞ぎながら開口部を閉鎖するようにした防火シートシャッターに関するものである。
【０００２】
【従来の技術】
従来、建物の開口部あるいは建物内の区画域への出入り口に設けられる防火シートシャッターは、火災発生時に開口部や出入り口を閉鎖することにより、火炎による高温空気と煙の流通を阻止して他区域への延焼等を防止する目的で設置されるが、開口部の開口幅が広い場合に、単一の長い巻取りシャフトを採用した防火シートシャッターの構造にすると、巻取りシャフト自体の撓みや駆動シャフトの捩れなどを生じ易く、円滑な巻取り、巻き戻し作動を行えなくなる惧れがあるため、一般に図１５に示すように、本体部シートａを巻回した所定長の巻取りシャフトｂを、開口部ｃの開口幅に合わせて複数連設し、各本体部シートａの巻取り、巻き戻し作動を同期させるようになっている。
【０００３】
そして、上述した開口幅の広い開口部ｃに設置する防火シートシャッターでは、隣接する本体部シートａ、ａの側縁間に必然的に空隙域Ａが形成されてしまうので、本体部シートａの巻取り、巻き戻し作動に連繋する塞ぎシートｄにより、上記本体部シートａ、ａの側縁間に渡って空隙域Ａを重合状に塞ぎながら開口部ｃを閉鎖するように構成したものが知られている。
【０００４】
しかしながら、上記従来の構成で採用される塞ぎシートｄでは、単に本体部シートａ、ａの側縁間に渡って空隙域Ａを重合させるだけであったため、火災の発生で開口部ｃ近傍の周辺温度が高温状態に達すると、膨張空気の圧力上昇あるいは温度差、圧力差等により、塞ぎシートｄと本体部シートａとの間の隙間を通して高温空気や煙が防火シートシャッターで区画された他の区域に流通してしまう、という改善の余地を残すものであった。
【０００５】
そこで、本体部シートのシート側縁に位置するシート面と、これらに面接する塞ぎシートのシート面の対向間に、着離自在な面ファスナを上下方向に貼着すれば、上述のような塞ぎシートと本体部シートとの間に生ずる隙間を防止することができるものの、上記面ファスナは合成樹脂製であるが故に高温、高熱に対する耐性が低く、火災時に貼着能力の低下、溶出等を誘発し易く、依然として防火、防煙機能を十分に確保するには至らないものであった。
【０００６】
【発明が解決しようとする課題】
本発明は、叙上の如き実状に鑑み防火シートシャッターの機能向上を目指す研究、開発の過程で創案されたものであって、その目的とするところは、火災発生に伴って開口部近傍の周辺温度が高温状態に達した場合でも、確実に塞ぎシートと本体部シートとの間に生ずる隙間を防止して、高温空気や煙の他の区域への流通を未然に防ぐことができる防火シートシャッターの塞ぎシート構造を提供しようとするものである。
【０００７】
【課題を解決するための手段】
課題を達成するため本発明が採用した技術的手段は、本体部シートをそれぞれ巻回した複数の巻取りシャフトを開口部の開口幅方向に連設し、かつ当該各本体部シートの同期繰り出し作動時に、隣接するシート側縁間の空隙域を塞ぎシートで塞ぎながら開口部を閉鎖するように構成した防火シートシャッターにおいて、上記シート側縁に位置する各本体部シートのシート面と、これらに面接する塞ぎシートのシート面の対向間に、着離自在な面ファスナを上下方向に貼着すると共に、複数の孔を所定面域に穿設してなる固定プレートを対向する一方のシート面の上下方向に所定間隔を存して装着し、他方のシート面には、形状記憶合金を主部材とする固定ピンを上記各固定プレートに対応する位置に装着して、前記各本体部シートの同期繰り出し作動で開口部を閉鎖する際に、面着するシート面間で固定ピンを固定プレートの複数の孔の何れかに嵌入させ、かつ開口部近傍の周辺温度が所定以上の高温状態に達した際には、形状記憶合金の形状変形で固定ピンを固定プレートの孔内に係止させるように構成したことを特徴とするものである。
【０００８】
【発明の実施の形態】
本発明の実施の形態を図面に示した第１実施例を基に説明する。
図１ないし図４において、１は開口部２に設置した防火シートシャッターであり、該防火シートシャッター１は、耐火布材からなる本体部シート３、３を巻回した巻取りシャフト４、４を開口幅方向の上位に２組連設して構成され、左右の壁面に立設したガイドレール５、５に沿って各本体部シート３、３を同期させた状態で電動開閉機６の正逆回転駆動による巻取り、巻き戻しで開口部２の開放、閉鎖を行うように構成されている。
【０００９】
上記本体部シート３、３の隣接するシート側縁３ａ、３ａには、その表裏の両面外方に、面ファスナ７ａ、７ｂを上下方向かつ対向状に止着した一対の塞ぎシート８ａ、８ｂがそれぞれ重合状に配設されており、巻取りシャフト４、４から繰り出される本体部シート３、３とともに副巻取りシャフト９ａ、９ｂに巻回された上記塞ぎシート８ａ、８ｂを座板９に止着することにより、送りローラ１０ａ、１０ｂを介した塞ぎシート８ａ、８ｂの繰り出し時において、当該塞ぎシート８ａ、８ｂの面ファスナ７ａ、７ｂの貼着でシート側縁３ａ、３ａを挟み込むようになっている。１０ｃは開口部２の開放時に、面着した面ファスナ７ａ、７ｂ間の剥離を促す補助ローラである。
【００１０】
また上記塞ぎシート８ｂと塞ぎシート８ａのそれぞれ対向する中央位置には、図５および図６に示すように、複数の孔１１、１１…を所定面域に穿設してなる固定プレート１２と、形状記憶合金を主部材とする固定ピン１３が各シート８ａ、８ｂの上下方向に所定間隔を存して装着されており、前述のように面ファスナ７ａ、７ｂの貼着でシート側縁３ａ、３ａを塞ぎシート８ａ、８ｂで挟み込んだ際に、固定ピン１３が固定プレート１２の何れかの孔１１に嵌入するようになっている（図４（ａ）、（ｂ））。
【００１１】
前記送りローラ１０ａ、１０ｂは、図３に示すように、側面視で離間対向する副巻取りシャフト９ａ、９ｂの略中央で上下に位置して配設され、そのローラ送り軌跡はＳ字状をなしており、固定ピン１３（同図では図示せず）を装着した塞ぎシート８ａを副巻取りシャフト９ａから繰り出した際に、送りローラ１０ａ、１０ｂが同一高さで対向しないので、該ローラ１０ａに固定ピン１３が食い込んだり、無用な機械的圧力が固定プレート１２（同図では図示せず）との間で作用することがなく、スムースな面ファスナ７ａ、７ｂ間の貼着と固定プレート１２に対する固定ピン１３の嵌入作動を保持することができる。
【００１２】
ここで、前述の固定プレート１２と固定ピン１３について詳細に説明すれば、図５ないし図７に示す如く、固定プレート１２は、孔１１、１１…を所定面域に穿設した正四角形状の嵌入面１２ａと、該該嵌入面１２ａの四周縁で折曲された周壁１２ｂと、その余長部を折曲してなる装着部１２ｃを一体成形して構成され、上記装着部１２ｃに設けた通孔１４に図示しないリベット等の係止具を挿通して塞ぎシート８ｂに固定される。
【００１３】
また固定ピン１３は、形状記憶合金製のベース部１３ａにステンレス薄板からなるピン部１３ｂ、１３ｂを対向状に掴持し、その各先端１３ｃ、１３ｃは中央位置で面接状態を保持したまま起立する構成を有しており、取付孔１３ｄを介して塞ぎシート８ａに固定される。
【００１４】
そして本体部シート３による開口部２の全閉状態、すなわち固定ピン１３が固定プレート１２に嵌入している状態で、当該開口部２近傍の周辺温度が所定以上の高温状態に達した際には、図６（ｃ）に示すように、ベース部１３ａが形状変形を起こして図視で「へ」字状に変姿し、これによりピン部１３ｂ、１３ｂの各先端１３ｃ、１３ｃが孔１１内で拡開して、固定ピン１３が固定プレート１２との間で係止されるように構成されている。なお上記した固定プレート１２は、図７に示すように、長方形状をなす固定プレート１２´としても良く、また孔１１、１１…は円形状に限らず菱形状の孔１１´としても良い。
【００１５】
本発明は叙上の如く構成されているから、火災等が発生した場合には、各巻取りシャフト４、４が巻き戻し駆動され、本体部シート３、３が同期繰り出しされる。そして、隣接するシート側縁３ａ、３ａ間の空隙域Ａを塞ぎシート８ａ、８ｂで塞ぎながら開口部２が閉鎖されることになる。
【００１６】
この時、本体部シート３、３のシート側縁３ａ、３ａが塞ぎシート８ａ、８ｂの面ファスナ７ａ、７ｂの貼着で挟み込まれると共に、固定ピン１３が固定プレート１２の何れかの孔１１に嵌入したまま、本体部シート３、３が全閉状態に達するまで各巻取りシャフト４、４の巻き戻し駆動が続行される。
【００１７】
然る後、上記固定ピン１３が固定プレート１２に嵌入している状態で、開口部２近傍の周辺温度が所定以上の高温状態に達すると、図６（ｃ）に示すベース部１３ａが「へ」字状に形状変形を起こしてピン部１３ｂ、１３ｂの各先端１３ｃ、１３ｃが孔１１内で拡開し、固定ピン１３が固定プレート１２との間で係止されることになる。
【００１８】
したがって、上述のように開口部２近傍が所定以上の高温状態となって面ファスナ７ａ、７ｂが溶出して貼着能力がなくなっても、固定ピン１３と固定プレート１２の係止状態が維持されるので、膨張空気の圧力上昇あるいは温度差、圧力差等により、塞ぎシート８ａ、８ｂと本体部シート３、３との間の隙間を可及的に最小に留めることができ、高温空気や火炎、煙の流通を阻止して防火シートシャッター１で区画された他の区域への延焼を未然に防止することができる。
【００１９】
図８は、前記実施例の本体部シート３、３のシート側縁３ａ、３ａに、形状記憶合金製のプレート１６を装着した遮炎シート１５、１５…をそれぞれ上下方向に張設した第２実施例の構成を示すものである。
すなわち、上記遮炎シート１５、１５は、図９に示すように、長方形状のシート面１５ａの中央に帯状をなす形状記憶合金製のプレート１６を所定間隔を存して織り込んで形成されており、開口部２近傍の周辺温度が所定以上の高温状態に達した際には、補強プレート１７を装着した側のプレート１６が形状変形し、これに伴って遮炎シート１５が起立するように構成されている。
【００２０】
したがって、前記実施例と同様に塞ぎシート８ａ、８ｂと本体部シート３、３との間の隙間を可及的に最小に留めることができる上、起立または点線で示すように折り返した遮炎シート１５、１５…により高温空気や火炎、煙の流通をより一層効果的に阻止することができる。
【００２１】
図１０ないし図１４は、隣接する各本体部シート３、３の一方の面側において、塞ぎシート８´が面着する第３実施例の構成を示すものであって、この構成では、第１実施例で示した面ファスナ７ａ、７ｂ、固定プレート１２および固定ピン１３の各構成部材を、本体部シート３、３のシート側縁３ａ、３ａと塞ぎシート８´の両側縁部に装備し、かつ隣接するシート側縁３ａ、３ａ間の空隙域Ａに位置する塞ぎシート８´側の中央に所要の厚みを有するスペーサプレート１８、１８…を上下方向に所定間隔を存して配設すると共に、本体部シート３、３のシート側縁３ａ、３ａに、形状記憶合金を介した遮炎シート１５、１５…を上下方向に所定間隔を存して延設した第２実施例の構成を組み合わせた塞ぎシート構造が形成されている。
【００２２】
上記第３実施例では、図１３に示すように、巻取りシャフト４、４に対して単一の副巻取りシャフト９´を配置し、また前記第１実施例と同様に送りローラ１０´ａ、１０´ｂ間のローラ送り軌跡もＳ字状をなした比較的簡易な構成を採ることができるものでありながら、遮炎シート１５、１５…は、起立状態から更に点線で示す折り返し状態に形状変化するように形状記憶合金１６を形成してあるので、高温空気や火炎、煙の流通をより一層効果的に阻止することができるものである。
【００２３】
また図１４に示すように、副巻取りシャフト９´に塞ぎシート８´が巻き取られる際にも、スペーサプレート１８、１８…の介在により、巻きむら、巻きズレを起こすことなく均一な巻取り状態を保持することができる。
【００２４】
【発明の効果】
これを要するに本発明は、本体部シートをそれぞれ巻回した複数の巻取りシャフトを開口部の開口幅方向に連設し、かつ当該各本体部シートの同期繰り出し作動時に、隣接するシート側縁間の空隙域を塞ぎシートで塞ぎながら開口部を閉鎖するように構成した防火シートシャッターにおいて、上記シート側縁に位置する各本体部シートのシート面と、これらに面接する塞ぎシートのシート面の対向間に、着離自在な面ファスナを上下方向に貼着すると共に、複数の孔を所定面域に穿設してなる固定プレートを対向する一方のシート面の上下方向に所定間隔を存して装着し、他方のシート面には、形状記憶合金を主部材とする固定ピンを上記各固定プレートに対応する位置に装着して、前記各本体部シートの同期繰り出し作動で開口部を閉鎖する際に、面着するシート面間で固定ピンを固定プレートの複数の孔の何れかに嵌入させ、かつ開口部近傍の周辺温度が所定以上の高温状態に達した際には、形状記憶合金の形状変形で固定ピンを固定プレートの孔内に係止させるように構成したから、火災発生に伴って開口部近傍の周辺温度が高温状態に達して面ファスナの溶出、消滅等が発生しても、確実に塞ぎシートと本体部シートとの間に生ずる隙間を防止して、高温空気や煙の他の区域への流通を未然に防ぐことができる、という極めて有用な新規的効果を奏するものである。
【図面の簡単な説明】
【図１】（ａ）は防火シートシャッターの全体正面図である。
（ｂ）は同上背面図である。
（ｃ）は同上要部横断面図である。
【図２】防火シートシャッターの左側断面図である。
【図３】巻取りシャフトと副巻取りシャフトおよび本体部シート、塞ぎシートの位置関係を示す要部拡大側面図である。
【図４】（ａ）は面ファスナ貼着前の状態を示す要部断面図である。
（ｂ）は面ファスナの貼着状態を示す要部断面図である。
（ｃ）は開口部近傍の周辺温度が所定以上に達した際の固定ピンの変化を示す要部断面図である。
（ｄ）面ファスナが溶出または消滅した場合の状態を示す要部断面図である。
【図５】（ａ）は固定プレートの平面図である。
（ｂ）は同上正面図である。
【図６】（ａ）は固定ピンの平面図である。
（ｂ）は同上正面図である。
（ｃ）は形状変化した際の固定ピンの状態を示す正面図である。
【図７】（ａ）は固定プレートの他の構成を示す正面図である。
（ｂ）は固定プレートの他の構成を示す正面図である。
【図８】（ａ）は面ファスナ貼着前の状態を示す要部断面図である。
（ｂ）は面ファスナの貼着状態を示す要部断面図である。
（ｃ）は開口部近傍の周辺温度が所定以上に達した際の固定ピンの変化を示す要部断面図である。
（ｄ）面ファスナが溶出または消滅した場合の状態を示す要部断面図である。
【図９】（ａ）は遮炎シートの正面図である。
（ｂ）は同上右側面図である。
（ｃ）は形状変化した際の遮炎シートの状態を示す右側面図である。
【図１０】防火シートシャッターの左側断面図である。
【図１１】（ａ）は面ファスナ貼着前の状態を示す要部断面図である。
（ｂ）は面ファスナの貼着状態を示す要部断面図である。
（ｃ）は開口部近傍の周辺温度が所定以上に達した際の固定ピンの変化を示す要部断面図である。
（ｄ）面ファスナが溶出または消滅した場合の状態を示す要部断面図である。
【図１２】（ａ）は面ファスナ貼着前の状態を示す要部拡大断面図である。
（ｂ）は面ファスナの貼着状態を示す要部拡大断面図である。
（ｃ）は開口部近傍の周辺温度が所定以上に達した際の固定ピンの変化を示す要部拡大断面図である。
（ｄ）面ファスナが溶出または消滅した場合の状態を示す要部拡大断面図である。
【図１３】巻取りシャフトと副巻取りシャフトおよび本体部シート、塞ぎシートの位置関係を示す要部拡大側面図である。
【図１４】塞ぎシートの巻取りシャフトへの巻回状態を示す要部断面図である。
【図１５】（ａ）は従来の防火シートシャッターの全体正面図である。
（ｂ）は同上側面図である。
（ｃ）は同上要部横断面図である。
【符号の説明】
１      防火シートシャッター
２      開口部
３      本体部シート
３ａ    シート側縁
４      巻取りシャフト
７ａ    面ファスナ
７ｂ    面ファスナ
８ａ    塞ぎシート
８ｂ    塞ぎシート
９ａ    副巻取りシャフト
９ｂ    副巻取りシャフト
１０ａ  送りローラ
１０ｂ  送りローラ
１１    孔
１２    固定プレート
１３    固定ピン
１５    遮炎シート
１６    形状記憶合金
Ａ      空隙域
【図１】
0003743976.tif 000002
【図２】
0003743976.tif 000003
【図３】
0003743976.tif 000004
【図４】
0003743976.tif 000005
【図５】
0003743976.tif 000006
【図６】
0003743976.tif 000007
【図７】
0003743976.tif 000008
【図８】
0003743976.tif 000009
【図９】
0003743976.tif 000010
【図１０】
0003743976.tif 000011
【図１１】
0003743976.tif 000012
【図１２】
0003743976.tif 000013
【図１３】
0003743976.tif 000014
【図１４】
0003743976.tif 000015
【図１５】
0003743976.tif 000016